(57)【要約】  本発明は、可変式節水型洋式便器の汚水排出装置に関し、直水流入路から一部の直水が分岐され、洋式便器の汚水排出管の外周にある補助タンクに貯蔵される直水が一定量以上となった場合に、補助タンクの荷重によってボウル内の汚水が外部に排出される、可変式節水型洋式便器の汚水排出装置に関する。
2020524235.tif 000002
【特許請求の範囲】
【請求項１】
底面や壁体に設置され、外部から直水流入路（１０１）を介して直水が流入される直水流入口（１１１）が形成されており、上部が開口され、一定量の汚水が貯蔵されるボウル（１１０）を備え、前記ボウル（１１０）から汚水を排出させる連結管（１２０）を備え、前記ボウル（１１０）の後方を覆い、前記連結管（１２０）を介して排出される汚物を便器の外部に排出させる底管（１３０）に誘導するカバー部（１４０）を備える洋式便器本体部（１００）と、
前記連結管（１２０）と連結され、前記ボウル（１１０）から排水される汚水の流動経路を形成し、一方に曲げ可能である蛇腹管（２００）と、
前記直水流入路（１０１）と連結され、前記ボウル（１１０）へ直水が流入する時に、前記直水流入路（１０１）からの直水の一部が分岐されるようにする直水分岐部（３００）と、
前記蛇腹管（２００）に連結され、汚水を排出する主排出管（４１０）と、
前記主排出管（４１０）の外周に備えられており、前記直水分岐部（３００）から分岐された直水が供給され、下部に供給された直水が排出されるようにする補助排出孔（４２２）を備える補助タンク（４２０）と、からなり、
前記直水分岐部（３００）から分岐された直水が所定の量に達すると、自重によって下方に回動し、主排出管（４１０）を介して汚水を外部に排出するとともに、前記補助タンク（４２０）へ供給された直水が前記補助排出孔（４２２）を介して排出される速度によって、前記主排出管（４１０）を介して排出される汚水の排出時間を遅延させる汚水排出管（４００）と、
前記連結管（１２０）と前記汚水排出管（４００）を弾性的に連結するものであって、直水の遮断時に、前記汚水排出管（４００）が直立状態を成すように弾性力を有する弾性部（５００）とを含むことを特徴とする可変式節水型洋式便器の汚水排出装置。
【請求項２】
前記弾性部は、
前記連結管（１２０）と前記蛇腹管（２００）とを連結する連結部（１１５）に両側から突出するように設けられ、両端部位に第１掛け孔（５１１）が形成された第１掛け部材（５１０）と、
前記汚水排出管（４００）の両側部に設けられ、間隔を成す多数の第２掛け孔（５２１）が形成された一対の第２掛け部材（５２０）と、
一端が前記一対の第２掛け部材（５２０）の多数の第２掛け孔（５２１）の何れか１つに連結され、他端が前記第１掛け孔（５１１）に連結される一対の弾性部材（５３０）と、を備えることを特徴とする請求項１に記載の可変式節水型洋式便器の汚水排出装置。
【請求項３】
前記蛇腹管（２００）または汚水排出管（４００）に設けられており、前記汚水が流動される際には汚水の流動により開放され、前記汚水が流動されない場合には閉塞される悪臭防止部（６００）をさらに含むことを特徴とする請求項１に記載の可変式節水型洋式便器の汚水排出装置。
【請求項４】
前記直水分岐部（３００）は、
上部が前記直水流入路（１０１）と結合され、下部が前記補助タンク（４２０）の上部と連結される分岐蛇腹管（３１０）と、
前記分岐蛇腹管（３１０）の上部と連結され、且つ前記直水流入路（１０１）の内部に配置される分岐水流入部（３２０）と、を含んでなることを特徴とする請求項１に記載の可変式節水型洋式便器の汚水排出装置。
【請求項５】
分岐水流入部（３２０）を有し、前記分岐水流入部（３２０）の入口部位に、前記直水流入路（１０１）への直水の供給時には水圧によって開放され、直水の遮断時には自重によって閉塞されることで、前記直水流入路（１０１）へ悪臭が流入されることを防止する悪臭防止弁（３２１）をさらに備えることを特徴とする請求項１に記載の可変式節水型洋式便器の汚水排出装置。
【請求項６】
前記悪臭防止部（６００）は、
前記汚水排出管（４００）の内部に配置され、中空状に形成されて、可撓性を有するビニールや合成ゴムなどで形成される悪臭防止部材（６１０）を含むが、
前記悪臭防止部材（６１０）の一端は、前記汚水排出管（４００）の内周の一端に固定され、
前記悪臭防止部材（６２０）の他端は、前記汚水排出管（４００）の内周の他端側に沿って自由端を成すように配置され、
前記汚水排出管（４００）に汚水が流動し、流動された汚水は前記悪臭防止部材（６１０）の中空に流入され、前記悪臭防止部材（６１０）を開放し、
前記汚水排出管（４００）からの汚水の流動が完了すると、自由端で配置された前記悪臭防止部材（６１０）の他端は、汚水排出管（４００）に密着されて密閉されるように外形が変わることを特徴とする請求項３に記載の可変式節水型洋式便器の汚水排出装置。
【発明の詳細な説明】
【技術分野】
【０００１】
本発明は、可変式節水型洋式便器の汚水排出装置に関し、より詳細には、直水流入路から一部の直水が分岐され、洋式便器の汚水排出管の外周にある補助タンクに貯蔵される直水が一定量以上となった場合に、補助タンクの荷重によってボウル内の汚水が外部に排出される、可変式節水型洋式便器の汚水排出装置に関する。
【背景技術】
【０００２】
一般に、洋式便器においては、糞尿排出口からの悪臭や糞尿の円滑な洗浄のために、便器ボウルに一定量の水を貯水するサイホン（ｓｉｐｈｏｎ）の原理が用いられている。
【０００３】
かかるサイホン原理は、逆Ｕ字形管内の水位と便器内の水位とが平衡を保つ時には水が停滞状態であるのに対し、便器ボウル内の水位が急に高くなると、便器ボウル内の圧力上昇が伴われ、相対的に低圧状態であるサイホン管との圧力差によって便器ボウル内の水が排出されることになる原理である。
【０００４】
通常の洋式便器は、図１に示されたように、所定量の水を湛えているボウル（ｂｏｗｌ）２と、前記ボウル２よりも高い位置で所定量の水洗用水を貯水しており、前記ボウル２に対して給水口パッキング５によって閉塞された供給路２ａを介して連結される貯水タンク１と、からなり、前記貯水タンク１に設けられた排水レバー３の操作により、その排水レバー３に連動する前記給水口パッキング５が給水口１０を開放し、貯水タンク１の水がその供給路２ａを介してボウル２に急速に供給されることで、ボウル２内の水位が増加するに伴いボウル２内で発生する水圧、およびその水圧によって前記ボウルの排水路２ｂを介して排水される水が生成するサイホン効果により、ボウル内に沈殿された大便や小便を排水トラップ２ｃを介して排出されるように構成されている。
【０００５】
しかし、上述のような従来の洋式便器は、ボウル内における悪臭などの逆流防止のための排水トラップ２ｃの高さ以上の水位を常に維持しなければならず、また、水洗時に、前記排水トラップ２ｃの高さの水圧に勝つことができる量の水が用いられなければならないため、水の消費量が多いという問題があった。
【０００６】
さらに、従来の便器は、円滑な汚物の排出のために、ボウルの排出管の直径がＫＳ規格などで決められた４５ミリ以上、すなわち、通常４５〜５５ミリ程でなければならない。そのため、ボウル内の汚物を洗浄するためには、いわゆるサイホン現象を引き起こして吸引力により洗浄すべきであるが、このようなサイホン現象を引き起こすためには、一度に少なくとも６０ミリ以上の水をボウルの内部へ供給しなければならない。それを解決するために、従来の便器は、水タンクを設け、常時は水タンクの内部に一定量の水を貯蔵しておき、使用時には、水タンクの内部に設けられた約６５ミリ前後の配水管口径に付着された開閉栓の開放により、水タンクとボウルに通じる内部の水路を介してボウルの内部へ水を供給することで、サイホン現象が起こって洗浄が行われる。
【０００７】
そのため、従来の便器は、口径が約１５ミリ程の水道管の直水では、いくらボウルの内部へ水を供給しても、ボウルの排出管の直径が通常４５〜５５ミリ程であるため、サイホン現象を引き起こすことができず、そのままボウルの排出管を介して排出され、ボウル内の汚物を洗浄することができない。
【０００８】
したがって、これまでは、男子用小便器の場合、水道管に直結して用いることで、感知器などによる自動洗浄が一般化されていたが、大便器の場合は、上記のような理由から、水道管への直結では汚物の洗浄が不可能であって、自動大便器は一般化が不可能であった。
【０００９】
なお、従来の便器（一部の給水管口径が１インチである洗浄弁型便器は除く）は、水タンク機能を必須に備えなければ洗浄が不可能であるため、デザインの限界だけでなく、水タンクによって便器のサイズを減らすことができないため、空間的な制約もあった。また、水タンクと便座を一体型として陶器で製作（いわゆる、「ワンピース型便器」）する場合には、不良率が高くて生産収率が低く、結果として、陶器原価上昇の要因となる。
【００１０】
また、水タンクの内部に設けられた給排水管の不良などによって水漏れが発生しても、使用者が感知しにくいため、上下水道料金の請求書を見てから認知されることもある。また、共用トイレやオフィスビルなどの公共の場所で用いる、いわゆるフラッシュ便器は、水タンクがないため、水道管に直結して用いるために、一度に多量の水を供給できるように、一般の１５ｍｍの水道管とは別に、直径２５ｍｍ（１インチ）の管をさらに設備しなければならない。そのため、莫大な設備コストが追加されるだけでなく、洗浄レバーの作動時に、いわゆる「ウオーターハンマー」という現象によって激しい騒音が伴われるため、一般家庭では使用が不可能であった。
【００１１】
さらに、韓国特許第１０−１１３１８１０号に記載の可変二重直線管式節水型洋式便器の可変二重直線管は、従来の給水流路とボウルリムの方式により動作できるものであって、水道直水の供給時にボウル内部の水位が上昇すると、可変直線管が下向きとなって汚水の排出は可能であるが、水道の圧力が、水タンクとボウルに通じる内部の水路およびボウルリムの内部の水路で急激に低下する。結果として、水道の圧力を利用することができなくなり、ボウル内部の汚水の洗浄において問題があり、汚水の排出時に、可変直線管の下向きにおける遅延時間調節が困難であるため、一部汚水の逆流がたまに発生する。
【００１２】
さらに、韓国特許第１０−１１３１８１０号に記載の可変二重直線管式節水型洋式便器の可変二重直線管は、汚水排出のための可変二重直線管の下向き時まで直水をボウルに供給しなければならず、供給された直水が直ちにボウルに貯蔵された汚水と混合され、供給された直水も汚水に変わってしまい、結果として、洗浄水が浪費され、節水効果を半減させる問題がある。
【００１３】
また、韓国特許第１０−１１３１８１０号に記載の可変二重直線管式節水型洋式便器の可変二重直線管は、汚水排出管の外周にある補助タンクの水として、汚水排出物の一部を用いることで、一定期間後に、補助タンクに流入される汚水によって詰まりが発生し、汚水排出管の誤動作を誘発させ、排出ユニットの誤動作を起こすという耐久性の問題がある。
【発明の概要】
【発明が解決しようとする課題】
【００１４】
本発明の目的は、洋式便器の供給水路によって一部の直水を分岐させ、分岐された直水の自重により、ボウルの排出口に蛇腹を介して連結される排出ユニットを下方に弾性流動させることで、順に汚水を排出させ、汚水が全て排出された後には、弾性的に排出ユニットを原位置にすることができる、可変式節水型洋式便器の汚水排出装置を提供することにある。
【００１５】
本発明の他の目的は、上水管から直接供給される直水を利用して、水タンクがなくても洋式便器のボウルに湛えられた汚水を排水できるようにする可変式節水型洋式便器の汚水排出装置を提供することにある。
【００１６】
本発明の他の目的は、上水管から供給される上水圧の変化があっても、一定水圧以上になると安定して排出ユニットを動作させることができて、上水圧の影響を殆ど受けないため、安定して洗浄力を維持することができる可変式節水型洋式便器の汚水排出装置を提供することにある。
【００１７】
本発明のさらに他の目的は、上水管から供給される直水を使用可能であるため、従来の一般便器に必須に備えられていた水タンクが不要であって、陶器デザインの多様化と、陶器の生産原価の低減および設置空間の縮小、感知器などを利用した自動洗浄便器の使用の一般化において助けになることができる可変式節水型洋式便器の汚水排出装置を提供することにある。
【課題を解決するための手段】
【００１８】
好ましい実施例において、本発明は、底面や壁体に設置され、外部から直水流入路１０１を介して直水が流入される直水流入口１１１が形成されており、上部が開口され、一定量の汚水が貯蔵されるボウル１１０を備え、前記ボウル１１０から汚水を排出させる連結管１２０を備え、前記ボウル１１０の後方を覆い、前記連結管１２０を介して排出される汚物を便器の外部に排出させる底管１３０に誘導するカバー部１４０を備える洋式便器本体部１００と、前記連結管１２０と連結され、前記ボウル１１０から排水される汚水の流動経路を形成し、一方に曲げ可能である蛇腹管２００と、前記直水流入路１０１と連結され、前記ボウル１１０へ直水が流入する時に、前記直水流入路１０１からの直水の一部が分岐されるようにする直水分岐部３００と、前記蛇腹管２００に連結され、汚水を排出する主排出管４１０と、前記主排出管４１０の外周に備えられており、前記直水分岐部３００から分岐された直水が供給され、下部に供給された直水が排出されるようにする補助排出孔４２２を備える補助タンク４２０と、からなり、前記直水分岐部３００から分岐された直水が所定の量に達すると、自重によって下方に回動し、主排出管４１０を介して汚水を外部に排出するとともに、前記補助タンク４２０へ供給された直水が前記補助排出孔４２２を介して排出される速度によって、前記主排出管４１０を介して排出される汚水の排出時間を遅延させる汚水排出管４００と、前記連結管１２０と前記汚水排出管４００を弾性的に連結するものであって、直水の遮断時に、前記汚水排出管４００が直立状態を成すように弾性力を有する弾性部５００と、を含むことを特徴とする可変式節水型洋式便器の汚水排出装置を提供する。
【００１９】
また、前記弾性部は、前記連結管に両側から突出するように設けられ、両端部位に第１掛け孔が形成された第１掛け部材と、前記汚水排出管の両側部に設けられ、間隔を成す多数の第２掛け孔が形成された一対の第２掛け部材と、一端が前記一対の第２掛け部材の多数の第２掛け孔の何れか１つに連結され、他端が前記第１掛け孔に連結される一対の弾性部材と、を備えることを特徴とする。
【００２０】
また、前記蛇腹管２００に設けられており、前記汚水が流動される際には汚水の流動により開放され、前記汚水が流動されない場合には閉塞される悪臭防止部６００をさらに含むことを特徴とする。
【００２１】
なお、前記直水分岐部３００は、上部が前記直水流入路１０１と結合され、下部が前記補助タンク４２０の上部と連結される分岐蛇腹管３１０と、前記分岐蛇腹管３１０の上部と連結され、且つ前記直水流入路１０１の内部に配置される分岐水流入部３２０と、を含んでなることを特徴とする。
【００２２】
また、前記分岐水流入部３２０の入口部位に、前記直水流入路１０１への直水の供給時には水圧によって開放され、直水の遮断時には自重によって閉塞されることで、前記直水流入路１０１へ悪臭が流入されることを防止する悪臭防止弁３２１をさらに備えることを特徴とする。
【００２３】
また、前記悪臭防止部は、前記汚水排出管の内部に配置され、中空状に形成されて、可撓性を有するビニールや合成ゴムなどで形成される悪臭防止部材を含むが、前記悪臭防止部材の一端は、前記汚水排出管の内周の一端に固定され、前記悪臭防止部材の他端は、汚水排出管の内周の他端側に沿って自由端を成すように配置され、汚水が前記汚水排出管にに流動され、流動した前記汚水が前記悪臭防止部材の中空に流入して前記悪臭防止部材が開放され、前記汚水排出管からの汚水の排出が完了すると、自由端で配置された前記悪臭防止部材の他端は、汚水排出管に密着されて密閉されるように外形が変わることを特徴とする。
【発明の効果】
【００２４】
本発明は、汚水排出管の外周に補助タンクを形成し、直水供給水路から一部の直水を補助蛇腹管を介して補助タンクに供給することで、補助タンクの自重により汚水排出管を回動させて汚水を排出させるようにすることにより、排出を迅速に行うことができる利点がある。
【００２５】
また、直水が供給されていない時には汚水排出管が可変されず、一時的に多量の汚水をボウルに供給しても、汚水排出管には影響を与えないため、ボウルの貯蔵水量が安定して維持されることで、ボウル内における汚物の付着や悪臭などをできる限り防止する効果がある。
【００２６】
また、本発明は、補助タンクに供給される前記直水の供給量が一定以上になると前記汚水排出管の安定した動作が行われ、供給水圧の変化による洗浄力の低下をできる限り防止する効果がある。
【００２７】
また、本発明は、前記直水供給水路から直水分岐部を介して直水を補助タンクへ供給し、汚水排出管を下向き動作させることで、直水がボウルに供給される前にボウルの汚水を排出して、最大限の節水効果を有する。
【００２８】
また、本発明は、汚水の排出時に下方に回動する汚水排出管への弾性力を、補助タンクの重量によって排出時間を延長する効果を調節することができるため、汚水の残水や逆流を抑制することができて、完璧な洗浄効果を有する。
【００２９】
また、本発明は、前記補助タンクに直水を供給することで、汚水を使用して発生する汚水排出管の誤動作を防止する効果がある。
【００３０】
また、本発明は、汚水排出管内に中空のビニールや薄いゴムなどを設けることで、汚水の排出後に、悪臭が洋式便器の本体部のボウルに逆流することを最小化する効果がある。
【００３１】
さらに、本発明は、従来の洋式便器のように、水タンク式便器に使用可能であることはいうまでもなく、上水管から直接供給される直水を用いて、水タンクがなくても洋式便器のボウルに湛えられた汚水を排水することができるため、自動洗浄便器の一般化を達成することができる効果がある。
【００３２】
また、本発明は、水タンクが不要であるため、洋式便器のデザインを多様化することができ、生産不良を減少させて洋式便器の生産原価を低減することができる効果がある。
【図面の簡単な説明】
【００３３】
【図１】従来の洋式便器の構成を示す図である。
【図２】本発明に係る可変式節水型洋式便器の汚水排出装置の汚水が排出される前の状態を示した図である。
【図３】本発明に係る可変式節水型洋式便器の汚水排出装置の汚水が排出される前の状態を示した図である。
【図４】本発明に係る可変式節水型洋式便器の汚水排出装置の汚水が排出される状態を示した図である。
【図５】本発明に係る可変式節水型洋式便器の汚水排出装置の汚水が排出される状態を示した図である。
【図６】本発明に係る可変式節水型洋式便器の汚水排出装置の汚水排出管と弾性部の連結状態を示した分解斜視図である。
【図７】本発明に係る可変式節水型洋式便器の汚水排出装置の汚水排出管と弾性部の連結状態を示した分解斜視図である。
【発明を実施するための形態】
【００３４】
以下、添付図面を参照し、本発明に係る可変式節水型洋式便器の汚水排出装置を説明する。
【００３５】
図２および図３は、本発明に係る可変式節水型洋式便器の汚水排出装置の汚水が排出される前の状態を示した図であり、図４および図５は、本発明に係る可変式節水型洋式便器の汚水排出装置の汚水が排出される状態を示した図であり、図６および図７は、本発明に係る可変式節水型洋式便器の汚水排出装置の汚水排出管と弾性部の連結状態を示した分解斜視図である。
【００３６】
図２および図４を参照すると、本発明の直水型節水型洋式便器は、大別して、洋式便器本体部１００と、蛇腹管２００と、直水分岐部３００と、汚水排出管４００と、弾性部５００と、から構成される。
【００３７】
上記の各構成を説明する。
【００３８】
（洋式便器本体部１００）
本発明に係る洋式便器本体部１００は、トイレの底面や壁体に設置される。
【００３９】
前記洋式便器本体部１００は、外部から直水流入路１０１を介して直水が流入される直水流入口１１１が形成されており、上部が開口され、一定量の汚水が貯蔵されるボウル１１０を備える。前記ボウル１１０には、前記直水流入口１１１を介して直水が供給され、ボウル１１０の洗浄が行われる。止水栓（不図示）によって弁が開放されると、前記直水流入路１０１へ直水が流入され、ボウル１１０の洗浄に関与することになる。
【００４０】
また、前記洋式便器本体部１００は、前記ボウル１１０から汚水を排出させる連結管１２０を備える。
【００４１】
また、前記洋式便器本体部１００は、前記ボウル１１０の後方を覆い、前記連結管１２０を介して排出される汚物を便器の外部に排出させる底管１３０に誘導するカバー部１４０を備える。
【００４２】
（蛇腹管２００）
本発明に係る蛇腹管２００は、前記連結管１２０と連結される。すなわち、前記蛇腹管２００の一端が、前記連結管１２０の端部に連結される。
【００４３】
前記蛇腹管２００の一端は、連結管１２０に嵌め込んで固定されてもよく、スクリュー方式によりスクリュー締結されて連結されてもよい。
【００４４】
前記蛇腹管２００は、前記ボウル１１０から排水される汚水の流動経路を形成し、可撓性を有する管であって、外力によって一方に曲げ可能である。
【００４５】
（直水分岐部３００）
本発明に係る直水分岐部３００は、前記直水流入路１０１と連結され、前記ボウル１１０へ直水が流入する時に、前記直水流入路１０１からの直水の一部が分岐されるようにする役割をする。ボウル１１０の洗浄のためのボウル１１０への直水供給時に、前記直水流入路１０１から前記直水分岐部３００によって分岐された一部の直水が、後述の汚水排出管４００の補助タンク４２０に流入されて貯蔵されることとなり、補助タンク４２０の自重によって汚水排出管４００を回動させ、汚水排出管４００を介した汚水の排出に関与する。
【００４６】
前記直水分岐部３００は、分岐蛇腹管３１０と、分岐水流入部３２０と、からなる。
【００４７】
前記分岐蛇腹管３１０は、上部が前記直水流入路１０１と結合され、下部が前記補助タンク４２０の上部と連結される。
【００４８】
前記分岐水流入部３２０は、前記分岐蛇腹管３１０の上部と連結され、且つ前記直水流入路１０１の内部に配置されており、直水の一部が分岐された分岐水が流入されるようにする役割をする。流入された分岐水は、前記分岐蛇腹管３１０を介して後述の汚水排出管４００の補助タンク４２０に流入されて貯蔵される。
【００４９】
本発明に係る実施形態は、上水管から直接供給される直水を利用して、水タンクがなくても洋式便器のボウル１１０に湛えられた汚水を排水可能とすることができる。
【００５０】
なお、前記分岐水流入部３２０の入口部位に、前記直水流入路１０１への直水の供給時には水圧によって開放され、直水の遮断時には自重によって閉塞されることで、前記直水流入路１０１へ悪臭が流入されることを防止する悪臭防止弁３２１をさらに備えることが好ましい。
【００５１】
前記悪臭防止弁３２１を備える場合、直水の遮断時に自重によって閉塞されるため、悪臭が直水流入路１０１を介してボウル１１０に流入され、トイレの内部に悪臭が流入されることを防止することができる。
【００５２】
図５は、本発明に係る汚水排出管を示す正面図である。
【００５３】
（汚水排出管４００）
図２から図５を参照すると、本発明に係る汚水排出管４００は、前記蛇腹管２００に連結されており、前記直水分岐部３００を介して流入される直水が補助タンク４２０に貯蔵されると、汚水排出管４００に荷重が発生して汚水排出管４００が下向きになることで汚水を外部に排出する。
【００５４】
前記汚水排出管４００は、前記蛇腹管２００の端部に連結される円筒状の主排出管４１０と、前記主排出管４１０の外周を囲むように前記主排出管４１０の外周に設けられる補助タンク４２０と、からなる。
【００５５】
前記主排出管４１０は、前記蛇腹管２００に連結され、汚水を排出する役割をする。
【００５６】
前記補助タンク４２０は、前記主排出管４１０の外周に備えられ、前記直水分岐部３００から分岐された直水が供給されて貯蔵されるものであって、下部に貯蔵された直水が排出されるようにする補助排出孔４２２を備える。前記補助タンク４２０は、ボウル１１０の洗浄のためのボウル１１０への直水供給時に、前記直水分岐部３００から分岐された直水が供給されて貯蔵され、貯蔵した直水の自重によって汚水排出管４００を回動させることで、前記蛇腹管２００と連結された前記主排出管４１０を介して汚水を外部に排出可能とする役割をする。この際、前記補助タンク４２０は、前記直水分岐部３００から分岐された直水が所定の量に達すると、自重によって下方に回動し、主排出管４１０を介して汚水を外部に排出するとともに、前記補助タンク４２０へ供給された直水が前記補助排出孔４２２を介して排出される速度によって、前記主排出管４１０を介して排出される汚水の排出時間を遅延させる役割を果たす。
【００５７】
ここで、前記補助タンク４２０の上部には、前記直水分岐部３００の分岐蛇腹管３１０と連結される連結部４２１が備えられ、前記補助タンク４２０の下部の外郭部位には、貯蔵された直水が排出されるようにする補助排出孔４２２が備えられる。
【００５８】
前記構成を参照すると、汚水が排出されない場合には、汚水排出管４００は直立状態を維持する。すなわち、直水分岐部３００に直水が流入されないと汚水排出管４００は回動（動作）しないため、ボウル１１０は安定した貯水量を維持することとなり、ボウル１１０の内部における汚物付着や悪臭発生を抑制することができる。
【００５９】
引き続き、使用者が用便後に止水栓、レバーなどを動作させ、直水が直水流入路１０１に供給されると、直水流入路１０１から直水分岐部３００によって一部の直水が分岐され、汚水排出管４００の補助タンク４２０に貯蔵される。
【００６０】
図２および図３の状態で、前記直水分岐部３００から分岐された直水が所定の量に達すると、汚水排出管４００が自重によって下方に回動する図４および図５の状態になる。汚水排出管４００が回動した状態は、図４および図５のように、主排出管４１０が水平を成してボウル１１０からの汚水の排出が可能な状態である。
【００６１】
汚水排出管４００の補助タンク４２０に貯蔵された直水は、この直水の重量によって主排出管４１０を下向きに回動させる動力となり、排出時間を遅延させる重要な役割を果たす。
【００６２】
このように、汚水排出管４００が下向きに回動すると、ボウル１１０に貯蔵された汚水が蛇腹管２００を経て汚水排出管４００の主排出管４１０を介して外部に排出される。この際、補助タンク４２０に分岐されて貯蔵された直水は、前記補助排出孔４２２を介して下方に徐々に外部に排出される。
【００６３】
なお、直水流入路１０１を経て直水流入口１１１を介してボウル１１０に直水が流入されながらボウル１１０を洗浄することとなり、洗浄された汚水も蛇腹管２００を経て汚水排出管４００の主排出管４１０を介して外部に排出される。
【００６４】
直水流入路１０１を経て直水流入口１１１を介してボウル１１０に直水が流入されることは、前記直水分岐部３００によって分岐される直水よりも僅かに遅いため、汚水排出管４００の汚水排出のための回動よりも僅かに遅いか、略同時にボウル１１０に直水が流入される。このように汚水排出管４００を介した汚水の排出時点より僅かに遅いか略同時にボウル１１０に直水が供給されると、ボウル１１０に供給される直水が汚水と混合されずにボウル１１０を洗浄することができる。これにより、ボウル１１０に供給される直水は、ボウル１１０の洗浄のみに関与することができる。このようにボウル１１０に供給される直水は、ボウル１１０の洗浄のみに関与するため、ボウル１１０に供給される直水が、ボウル１１０に貯蔵された汚水と混合されて上がってくることが防止されるため、ボウル１１０の清潔状態を保つことができ、節水効果を発揮することができる。
【００６５】
補助タンク４２０に分岐されて貯蔵された直水が前記補助排出孔４２２を介して一定量排出されると、弾性部５００の弾性力により、汚水排出管４００が原位置に戻り、図２および図３の状態になる。汚水排出管４００の補助タンク４２０から補助排出孔４２２を介して排出される直水が完全に排出されるまでは、汚水排出管４００が回動状態を維持するため、前記汚水排出管４００の主排出管４１０を介して排出される汚水排出時間を遅延させることができる。このように、主排出管４１０を介して汚水が排出される時間を遅延させることで、汚水の残水なしに完全に排出し、洗浄の効率を向上させることになる。
【００６６】
前記汚水排出管４００の主排出管４１０を介して排出される汚水の排出時間の調節は、前記補助タンク４２０に供給された直水が前記補助排出孔４２２を介して排出される速度を大きくするか小さくするかによることであり、結局、前記補助排出孔４２２の大きさを小さくするか大きくするかに依存する。
【００６７】
補助タンク４２０の後段に形成される補助排出孔４２２の孔の面積を可変調節することで、主排出管４１０の汚水排出時間を調節することもできる。
【００６８】
図２および図３のように、汚水排出管４００が原位置に戻ると、ボウル１１０内の洗浄水の排出が防止される。この際、汚水排出管４００が原位置に戻る時点は、直水流入路１０１への直水の供給が終わる頃であり、直水流入路１０１への直水の供給が終わる頃には、直水がボウル１１０のみに供給され、ボウル１１０の内部に直水が半分程度満たされている状態になる。
【００６９】
図６および図７は、本発明に係る可変式節水型洋式便器の汚水排出装置の汚水排出管と弾性部の連結状態を示した分解斜視図である。
【００７０】
（弾性部５００）
図６および図７を参照すると、本発明に係る弾性部５００は、前記連結管１２０と前記汚水排出管４００を弾性的に連結するものであって、直水の遮断時に、前記汚水排出管４００が直立状態を成すように弾性力を有する。
【００７１】
前記補助タンク４２０に供給されて貯蔵された直水の自重を、前記弾性部５００の弾性力よりも大きくすることで、補助タンク４２０に貯蔵された直水の自重によって汚水排出管４００が回動するようにすることが好ましい。
【００７２】
前記弾性部５００は、前記連結管１２０と前記蛇腹管２００とを連結する連結部１１５に両側から突出するように設けられ、両端部位に第１掛け孔５１１が形成された第１掛け部材５１０と、前記汚水排出管４００の両側部に設けられ、間隔を成す多数の第２掛け孔５２１が形成された一対の第２掛け部材５２０と、一端が前記一対の第２掛け部材５２０の多数の第２掛け孔５２１の何れか１つに連結され、他端が前記第１掛け孔５１１に連結される一対の弾性部材５３０と、から構成される。
【００７３】
ここで、前記第１掛け部材５１０の第１掛け孔５１１は、前記第１掛け部材５１０の両端部で間隔を成して多数形成される。
【００７４】
前記第１掛け孔５１１と前記第２掛け孔５２１が多数個備えられる理由は、弾性部材５３０の張力を調節するためである。
【００７５】
前記一対の第２掛け部材５２０は、板状を成し、前記主排出管４１０の両側端から突出形成される。
【００７６】
前記連結管１２０と前記蛇腹管２００とを連結する連結部１１５は、連結管１２０と連結される第１連結部１１５ａと、蛇腹管２００と連結される第２連結部１１５ｂと、からなり、第１連結部１１５ａと第２連結部１１５ｂが互いに結合されるようにすることが好ましい。
【００７７】
（悪臭防止部６００）
図２から図５を参照すると、本発明に係る悪臭防止部６００は、前記汚水排出管４００の内部に設けられており、前記汚水が流動される際には汚水の流動により開放され、前記汚水が流動されない場合には閉塞される。
【００７８】
前記悪臭防止部６００は、前記汚水排出管４００の内部に配置され、中空状に形成されて、可撓性を有するビニールや薄いゴムで形成される悪臭防止部材６１０を含む。
【００７９】
前記悪臭防止部材６１０は、中空状となり、柔軟性を有するビニールやゴムで形成されることが好ましい。
【００８０】
ここで、前記悪臭防止部材６１０の一端は、前記汚水排出管４００の内周の一端に固定される。前記固定の方式は、接着剤によりなされることができる。
【００８１】
前記悪臭防止部材６１０の他端は、前記汚水排出管４００の内周の他端側に沿って自由端を成すように配置される。すなわち、前記悪臭防止部材６１０の他端は、汚水排出管４００の内部で固定されない。
【００８２】
これにより、ボウル１１０に貯蔵される汚水が連結管１２０を介して蛇腹管２００に流動されると、流動された汚水は悪臭防止部材６１０の中空に流入され、前記悪臭防止部材６１０を開放することができる。
【００８３】
この際、悪臭防止部材６１０の縁は汚水排出管の外周より大きいため、汚水排出管４００に密着されることができる。
【００８４】
そして、前記汚水排出管４００からの汚水の流動が完了すると、自由端で配置された前記悪臭防止部材６１０の他端は、汚水排出管４００に密着されるように外形が変わる。
【００８５】
すなわち、汚水が全て排出された後に、悪臭防止部材６１０の他端は、汚水排出管４００と密着されて閉塞される。
【００８６】
これにより、悪臭防止部材６１０の他端は、ある程度閉塞状態を成し、これにより、汚水が排出される側からの悪臭がボウル１１０側に逆流されることを最小限に減らすことができる。
【００８７】
以上、添付された図面を参照して本発明の実施例を説明したが、本発明は前記実施例に限定されるのではなく、互いに異なる様々な形態で具現可能であり、本発明が属する技術分野で通常の知識を有する者は、本発明がその技術的思想や必須の特徴を変更しないまま他の具体的な形態として実施できることを理解できるはずである。従って、以上で記述した実施例はすべての面において例示的なものであり限定的ではないものと理解しなければならない。
【図１】
2020524235.tif 000003
【図２】
2020524235.tif 000004
【図３】
2020524235.tif 000005
【図４】
2020524235.tif 000006
【図５】
2020524235.tif 000007
【図６】
2020524235.tif 000008
【図７】
2020524235.tif 000009
【国際調査報告】
2020524235.tif 000010
2020524235.tif 000011
2020524235.tif 000012
2020524235.tif 000013